(57)【要約】【課題】  従来の第１種ぱちんこ遊技機においては、特別遊技を発生させなければ遊技球数の実質的な増加は困難であった。【解決手段】  ぱちんこ遊技機１０において、保留装置８６は、遊技領域における一般入賞口７２の上方に設けられ、複数の遊技球を解除がなされるまで一時的に停留させることができるとともに、停留状態が解除された場合は停留させていた遊技球を一般入賞口７２の方向へ解放する。解除判定手段１７２は、停留状態を解除するか否かを所定の抽選方法にしたがって判定する。保留制御手段１７０は、保留装置８６による遊技球の停留を制御するとともに、解除判定手段１７２によって解除すべき旨の判定がなされた場合に保留装置８６による停留状態を解除する。【選択図】  図４
2006180950.tif 000002
【特許請求の範囲】
【請求項１】
遊技領域が形成された遊技盤と、
前記遊技領域の所定位置に設けられ、遊技球が入球可能な複数の入賞口と、
前記遊技領域における前記複数の入賞口の上方にて揺動可能に設けられ、流れてきた遊技球を前記揺動によって前記複数の入賞口のうちいずれかの方向へ誘導する誘導装置と、
前記遊技領域における前記複数の入賞口および前記誘導装置の上方に設けられ、複数の遊技球を解除がなされるまで一時的に停留させることができるとともに、停留状態が解除された場合は停留させていた遊技球を前記誘導装置の方向へ解放する保留装置と、
前記停留状態を解除するか否かを所定の抽選方法にしたがって判定する解除判定手段と、
前記保留装置による遊技球の停留を制御するとともに、前記解除判定手段によって解除すべき旨の判定がなされた場合に前記保留装置による停留状態を解除する保留制御手段と、
を備えることを特徴とする弾球遊技機。
【請求項２】
所定の当否確率にて当たりか否かに関する当否抽選を実行する当否抽選手段と、
前記当否抽選の結果を示す図柄の変動を表示させる図柄表示装置と、
前記図柄表示装置における前記図柄の変動表示を制御する表示制御手段と、
前記入賞口は、それぞれへの遊技球の入球が、賞球数の異なる賞球払出の契機となる複数の一般入賞口と遊技球の入球が前記当否抽選の実行契機となる始動入賞口とを含み、
前記誘導装置は、流れてきた遊技球を前記複数の一般入賞口のうちいずれかの方向へ誘導し、
前記保留装置は、前記複数の一般入賞口および前記誘導装置の上方に設けられ、前記停留状態が解除された場合は停留させていた遊技球を前記誘導装置の方向へ解放し、
前記解除判定手段は、前記当否抽選とは別になされる前記所定の抽選方法にしたがって前記停留状態を解除するか否かを判定することを特徴とする請求項１に記載の弾球遊技機。
【請求項３】
前記停留状態の解除を指示するための遊技者の操作を受け付ける操作入力手段をさらに備え、
前記保留制御手段は、遊技状態が前記特定遊技の状態となった場合に前記操作入力手段による解除指示の取得を有効化するとともに、前記有効化がなされている間に前記操作入力手段により前記解除指示が取得された場合に前記保留装置による停留状態を解除することを特徴とする請求項１または２に記載の弾球遊技機。
【請求項４】
前記所定の抽選方法として、前記停留状態を解除するか否かに関する解除抽選を実行する解除抽選手段と、
前記解除抽選の結果を示す解除図柄を変動表示させる解除抽選表示装置と、をさらに備え、
前記解除判定手段は、前記解除抽選の結果に応じて前記停留状態を解除するか否かを判定するとともに、前記解除図柄を変動停止させるときに表示すべき停止図柄を前記解除抽選の結果に応じて決定し、
前記保留制御手段は、前記決定された停止図柄が所定の当たり図柄であった場合、前記解除図柄の変動が前記当たり図柄にて停止されたときに前記保留装置による停留状態を解除することを特徴とする請求項１または２に記載の弾球遊技機。
【請求項５】
前記所定の抽選方法として、前記始動入賞口への入球があったときに前記停留状態を解除するか否かに関する解除抽選を実行する解除抽選手段と、
前記停留状態の解除を指示するための遊技者の操作を受け付ける操作入力手段と、をさらに備え、
前記解除判定手段は、前記解除抽選の結果に応じて前記停留状態を解除するか否かを判定し、
前記保留制御手段は、前記解除判定手段による判定の結果が当たりであった場合に前記操作入力手段による解除指示の取得を有効化するとともに、前記有効化がなされている間、前記操作入力手段により前記解除指示が取得されるたびに所定の解除回数を限度として前記保留装置による停留状態を解除することを特徴とする請求項１または２に記載の弾球遊技機。
【請求項６】
前記所定の抽選方法として、それぞれに遊技球が入球可能であっていずれに入球したかに応じて解除に関する異なる判定がなされる複数の孔部が設けられた抽選機構と、
前記複数の孔部のうち所定の孔部に入球があったときに前記保留制御手段によってなされる前記解除の回数を決定する回数抽選手段と、をさらに備え、
前記保留制御手段は、前記所定の孔部に入球があったときに前記決定された解除の回数を上限として前記保留装置による停留状態を複数回解除することを特徴とする請求項１または２に記載の弾球遊技機。
【発明の詳細な説明】
【技術分野】
【０００１】
本発明は、ぱちんこ遊技機等の弾球遊技機に関し、特に弾球遊技機における遊技球の入賞を制御する技術に関する。
【背景技術】
【０００２】
従来、各種の弾球遊技機のうち、いわゆる第１種ぱちんこ遊技機と呼ばれる遊技機は、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当たりと呼ばれる特別遊技へと移行するものとして知られている（例えば、特許文献１参照）。表示領域における図柄の変動表示は、単に複数の図柄が変動表示されるだけでなく、いわゆるリーチ画面と呼ばれる状態のように、あと一つ図柄が揃えば大当たりとなる状態で変動表示の時間を通常よりも長くする等、遊技者の期待感を高めるための演出が図られている。また、図柄等の画像にキャラクタを用いて変動表示にストーリーを持たせる演出を施したり、特別遊技への移行確率を変動させる確率変動等の制御によっても遊技者の期待感を高めている。
【特許文献１】特開２００３−２３０７１４号公報
【発明の開示】
【発明が解決しようとする課題】
【０００３】
ここで、従来の第１種ぱちんこ遊技機においては、遊技者が獲得遊技球を増やすためには一般入賞口や始動入賞口への入賞による賞球だけでは遊技球発射による球数の減少に追いつかず、特別遊技を発生させなければ遊技球数の実質的な増加は困難であった。そのような特徴は多くの遊技機で共通しており、遊技性まで似通ってしまう原因ともなっていた。
【０００４】
本発明はこうした課題に鑑みてなされたものであり、その目的は、弾球遊技機において新たな賞球付与の手法を実現することで遊技性向上を図る技術の提供にある。
【課題を解決するための手段】
【０００５】
上記課題を解決するために、本発明のある態様の弾球遊技機は、遊技領域が形成された遊技盤と、遊技領域の所定位置に設けられ、遊技球が入球可能な複数の入賞口と、遊技領域における複数の入賞口の上方にて揺動可能に設けられ、流れてきた遊技球を揺動によって複数の入賞口のうちいずれかの方向へ誘導する誘導装置と、遊技領域における複数の入賞口および誘導装置の上方に設けられ、複数の遊技球を解除がなされるまで一時的に停留させることができるとともに、停留状態が解除された場合は停留させていた遊技球を誘導装置の方向へ解放する保留装置と、停留状態を解除するか否かを所定の抽選方法にしたがって判定する解除判定手段と、保留装置による遊技球の停留を制御するとともに、解除判定手段によって解除すべき旨の判定がなされた場合に保留装置による停留状態を解除する保留制御手段と、を備える。
【０００６】
ここで「入賞口」は、いわゆる一般入賞口や始動入賞口など、その入球が賞球払出の契機となるような入球口をいう。「保留装置」は、複数の遊技球が入球可能な円筒状の機構であってもよく、こうした保留装置が複数設けられてもよい。停留状態を解除するか否かを判定するための抽選方法は、電子的な機能を用いた抽選であってもよいし、機械的な機能を用いた抽選であってもよい。
【０００７】
この態様によると、複数の入賞口の上方に誘導装置が設けられ、さらにその上方に保留装置が設けられ、保留装置による遊技球の停留状態が所定のタイミングにて解除されるので、保留装置に停留されていた複数の遊技球を特定のタイミングでまとめて入賞させることができる。したがって、たとえば複数の遊技球を滞留させることができる保留装置が複数設けられ、その下方に設けられた入賞口の設定賞球数を比較的多くしておけば、保留装置による停留を解除した場合に全体として比較的多くの賞球を遊技者に獲得させることができる。また、複数の入賞口に対してそれぞれ異なる数の賞球を設定しておき、いずれの入賞口へ入球したかに応じて獲得できる賞球数が異なるよう構成してもよい。このように、特別遊技以外の遊技における新たな手法によって賞球を獲得できる機会を遊技者に付与することができ、遊技性をさらに高めることができる。また、抽選確率の設定を通じて遊技機における全体的な出玉設計を調整することもできる。
【０００８】
所定の当否確率にて当たりか否かに関する当否抽選を実行する当否抽選手段と、当否抽選の結果を示す図柄の変動を表示させる図柄表示装置と、図柄表示装置における図柄の変動表示を制御する表示制御手段と、入賞口は、それぞれへの遊技球の入球が、賞球数の異なる賞球払出の契機となる複数の一般入賞口と遊技球の入球が当否抽選の実行契機となる始動入賞口とを含んでもよい。誘導装置は、流れてきた遊技球を複数の一般入賞口のうちいずれかの方向へ誘導し、保留装置は、複数の一般入賞口および誘導装置の上方に設けられ、停留状態が解除された場合は停留させていた遊技球を誘導装置の方向へ解放し、解除判定手段は、当否抽選とは別になされる所定の抽選方法にしたがって停留状態を解除するか否かを判定してもよい。この場合、従来は持ち玉増加に対する寄与の度合いが比較的小さかった一般入賞口への入賞という特別遊技以外の手段を介し、持ち玉を増加させることができる機会を遊技者に付与し、遊技性をさらに高めることができる。
【０００９】
停留状態の解除を指示するための遊技者の操作を受け付ける操作入力手段をさらに備えてもよい。保留制御手段は、遊技状態が特定遊技の状態となった場合に操作入力手段による解除指示の取得を有効化するとともに、有効化がなされている間に操作入力手段により解除指示が取得された場合に保留装置による停留状態を解除してもよい。これにより、賞球獲得タイミングに関して遊技者が技術介入でき、遊技性をさらに高めることができる。特に、遊技者は誘導装置の動きを見て所望の入賞口へ遊技球を入賞させるといった技術介入の余地があり、遊技性が高い。
【００１０】
所定の抽選方法として、停留状態を解除するか否かに関する解除抽選を実行する解除抽選手段と、解除抽選の結果を示す解除図柄を変動表示させる解除抽選表示装置と、をさらに備えてもよい。解除判定手段は、解除抽選の結果に応じて停留状態を解除するか否かを判定するとともに、解除図柄を変動停止させるときに表示すべき停止図柄を解除抽選の結果に応じて決定し、保留制御手段は、決定された停止図柄が所定の当たり図柄であった場合、解除図柄の変動が当たり図柄にて停止されたときに保留装置による停留状態を解除してもよい。この場合、解除抽選の結果を遊技者の視覚に訴えることにより、停留状態の解除に対する遊技者の期待感を効率的に高め、遊技性を向上させることができる。
【００１１】
所定の抽選方法として、始動入賞口への入球があったときに停留状態を解除するか否かに関する解除抽選を実行する解除抽選手段と、停留状態の解除を指示するための遊技者の操作を受け付ける操作入力手段と、をさらに備えてもよい。解除判定手段は、解除抽選の結果に応じて停留状態を解除するか否かを判定し、保留制御手段は、解除判定手段による判定の結果が当たりであった場合に操作入力手段による解除指示の取得を有効化するとともに、有効化がなされている間、操作入力手段により解除指示が取得されるたびに所定の解除回数を限度として保留装置による停留状態を解除してもよい。このように、特別遊技以外の手法を通じて持ち玉を増加させる機会が遊技者に付与され、遊技者は賞球獲得に関して技術介入できるので、遊技性をさらに高めることができる。
【００１２】
所定の抽選方法として、それぞれに遊技球が入球可能であっていずれに入球したかに応じて解除に関する異なる判定がなされる複数の孔部が設けられた抽選機構と、複数の孔部のうち所定の孔部に入球があったときに保留制御手段によってなされる解除の回数を決定する回数抽選手段と、をさらに備えてもよい。保留制御手段は、所定の孔部に入球があったときに決定された解除の回数を上限として保留装置による停留状態を複数回解除してもよい。「複数の孔部が設けられた抽選機構」は、いわゆるクルーンと呼ばれる機構であってもよい。この場合もまた、特別遊技以外の手法を通じて持ち玉を増加させる機会が遊技者に付与され、遊技者は賞球獲得に関して技術介入できるので、遊技性をさらに高めることができる。また、抽選機構を通じて解除抽選の結果を遊技者の視覚に訴えることにより、停留状態の解除に対する遊技者の期待感を効率的に高め、遊技性を向上させることができる。
【００１３】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００１４】
本発明の弾球遊技機によれば、弾球遊技機において新たな賞球付与の手法を実現することで遊技性向上を図ることができる。
【発明を実施するための最良の形態】
【００１５】
（実施例１）
図１は、ぱちんこ遊技機の前面側における基本的な構造を示す。以下、弾球遊技機としていわゆる第１種ぱちんこ遊技機を例に説明する。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、発射ハンドル１７、および入力ボタン８８を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１６】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等の機構を有する。下球皿１６は、遊技球の貯留、抜き取り等の機構を有する。上球皿１５の外周部分に入力ボタン８８が設けられており、遊技者は入力ボタン８８を押下する操作を通じて後述する停留解除指示を入力することができる。上球皿１５と下球皿１６の間にはスピーカ１８が設けられており、遊技状態などに応じた効果音が出力される。
【００１７】
遊技盤５０は、外レール５４と内レール５６により区画された遊技領域５２上に、アウト口５８、始動入賞口（以下、「始動口」という）６２、センター飾り６４、大入賞口６６、作動口６８、第１一般入賞口７０および第２一般入賞口７１（以下、第１一般入賞口７０および第２一般入賞口７１を総称する場合「一般入賞口７２」という）、誘導装置７９、第１保留装置８２および第２保留装置８４（以下、第１保留装置８２および第２保留装置８４を総称する場合「保留装置８６」という）、特別図柄表示装置６１、装飾図柄表示装置６０、解除抽選表示装置１７６を含む。さらに遊技領域５２には、図示しない複数の遊技釘や風車などの機構が設置される。始動口６２は、遊技球の入球を検出するための始動入賞検出装置７４と、始動口を拡開させるための普通電動役物ソレノイド７６を備える。第１一般入賞口７０および第２一般入賞口７１は、それぞれ遊技球の入球を検出するための第１一般入賞検出装置６９または第２一般入賞検出装置７３を備える。大入賞口６６は、遊技球の入球を検出するための入賞検出装置７８と、大入賞口６６を拡開させるための大入賞口ソレノイド８０を備える。
【００１８】
大入賞口６６は、特別図柄２０２が所定の態様にて停止したときに「大当たり」として開放状態となる横長方形状の入賞口である。大入賞口６６はアウト口５８の上方等の位置に設けられる。大入賞口６６の内側は、特定領域（いわゆるＶゾーン）と一般領域に区画されている。大入賞口６６の入賞検出装置７８は、遊技球の特定領域の通過を検出するセンサと、一般領域の通過を検出するセンサを備えて構成される。
【００１９】
保留装置８６は、遊技領域５２において装飾図柄表示装置６０の右側方位置、一般入賞口７２の上方に設けられる。保留装置８６は、それぞれ縦長円筒状に形成された第１保留装置８２と第２保留装置８４で構成される。第１保留装置８２および第２保留装置８４は互いに隣接するように設置され、それぞれの上部は遊技球が入球可能な開口部を形成し、それぞれの下面は制御により開閉自在な保留弁を形成する。保留装置８６は、解除がなされるまで複数の遊技球を一時的に停留させることができ、停留状態が解除された場合は停留させていた遊技球を一般入賞口７２の方向へ解放する。一般入賞口７２は、第１一般入賞口７０および第２一般入賞口７１で構成され、第１一般入賞口７０および第２一般入賞口７１のうち少なくともいずれかは、遊技球が入球した場合の賞球数が比較的大きな数に設定されている。また、第１一般入賞口７０と第２一般入賞口７１とではそれぞれの賞球数が異なる数に設定されている。作動口６８は、遊技盤５０の左側方位置に設けられる。作動口６８への遊技球の通過は始動口６２を拡開させる契機となる。
【００２０】
遊技領域５２の略中央に設けられた特別図柄表示装置６１、装飾図柄表示装置６０、および解除抽選表示装置１７６は、それぞれの画面に特別図柄２０２と、特別図柄２０２に連動する装飾図柄２００と、解除抽選の結果を示す解除図柄１７７と、を変動させながら表示する（以下、そうした表示を「図柄変動」または「変動表示」等という）。ここで、特別図柄２０２は、始動口６２への遊技球の落入を契機として行われる当否抽選の結果に応じた図柄であり、大当たりを発生させるか否かを示す役割をもつ。装飾図柄２００は、当否抽選の結果表示を視覚的に演出するための図柄である。特別図柄表示装置６１は、例えば７セグメントＬＥＤで構成される表示手段である。装飾図柄表示装置６０は、特別図柄２０２の変動表示と連動する形で装飾図柄２００を変動させながら表示する。装飾図柄２００は、特別図柄２０２で示される当否抽選の結果表示を視覚的に演出するための図柄である。装飾図柄表示装置６０は、装飾図柄２００として、例えばスロットマシンのゲームを模した複数列の図柄変動の動画像を画面の中央領域に表示する。装飾図柄表示装置６０は、この実施例では液晶ディスプレイで構成されるが、機械式のドラムやＬＥＤなどの他の表示手段で構成されてもよい。なお、特別図柄２０２は演出的な役割をもつ必要がないため、本実施例では装飾図柄表示装置６０の左下方の特別図柄表示装置６１にて目立たない大きさで表示されるが、特別図柄自体に演出的な役割をもたせて装飾図柄を表示させないような手法を採用する場合には、特別図柄を装飾図柄表示装置６０のような液晶ディスプレイに表示させてもよい。
【００２１】
解除抽選表示装置１７６は、保留装置８６による遊技球の停留状態を解除するか否かを判定するために実行される解除抽選の結果を解除図柄１７７の変動の形で表示する。解除図柄１７７は、当たりを示す「○」と外れを示す「×」の２種類である。特別図柄２０２および装飾図柄２００が変動表示される間、解除図柄１７７は「○」と「×」が交互に表示される形で図柄変動表示がなされる。特別図柄２０２および装飾図柄２００の変動が停止されるときに解除図柄１７７の変動も停止され、その停止図柄により解除抽選の結果が示される。
【００２２】
遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当たりながらその当たり方に応じた方向へ落下する。保留装置８６に落入した遊技球は、保留装置８６の中に停留した後、その停留状態が解除されたときに解放されて誘導装置７９の上に落下し、誘導装置７９によって第１一般入賞口７０および第２一般入賞口７１のいずれかへ振り分けられる形で誘導され、その誘導された側の一般入賞口へ入賞する。遊技球が一般入賞口７２や始動口６２、大入賞口６６の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００２３】
遊技球が始動口６２に落入すると、特別図柄表示装置６１、装飾図柄表示装置６０、および解除抽選表示装置１７６において特別図柄２０２、装飾図柄２００、および解除図柄１７７が変動表示される。特別図柄２０２、装飾図柄２００、および解除図柄１７７の変動表示は、原則として表示に先だって決定された表示時間の経過後に停止される。停止時の解除図柄１７７が当たりを示す図柄である場合、入力ボタン８８の押下が有効化される。有効化がなされた間に入力ボタン８８が遊技者によって押下されると、保留装置８６による遊技球の停留状態が解除され、保留装置８６から遊技球が解放される。保留装置８６から解放された遊技球は誘導装置７９によって振り分けられ、第１一般入賞口７０または第２一般入賞口７１のいずれかへ落入する。停止時の特別図柄２０２および装飾図柄２００が大当たりを示す図柄である場合、大入賞口６６の開閉動作が開始され、通常遊技よりも遊技者に有利な状態である特別遊技に移行する。このときスロットマシンのゲームを模した装飾図柄２００は、３つの図柄を一致させるような表示態様をとる。
【００２４】
大入賞口６６は、約３０秒間開放された後、または９球以上の遊技球が落入した後で一旦閉鎖される。大入賞口６６が開放中に遊技球が特定領域へ少なくとも１球落入した場合、大入賞口６６は再度開放される。このように、大入賞口６６が１回開放される間に遊技球が少なくとも１球以上特定領域へ落入することを条件に大入賞口６６の開閉が所定回数、例えば１５回繰り返される。
【００２５】
停止時の特別図柄２０２または装飾図柄２００が、確率変動付き大当たりを示す特定の図柄である場合、特別遊技の終了後に特定遊技として確率変動遊技が開始される。確率変動遊技においては、通常の確率状態より当たりの確率が高い抽選が行われ、比較的早期に新たな特別遊技が発生する。
【００２６】
装飾図柄表示装置６０の周囲には、センター飾り６４が設けられる。センター飾り６４は、遊技球の流路、特別図柄表示装置６１、装飾図柄表示装置６０、および解除抽選表示装置１７６の保護、装飾等の機能を有する。センター飾り６４の所定位置には、保留ランプ２０が設けられている。保留ランプ２０は、４個のランプからなり、その点灯個数によって保留球数を表示する。保留球数は、図柄変動中に始動口６２へ入賞した抽選結果の個数であり、図柄変動がまだ実行されていない入賞球の数を示す。また遊技効果ランプ９０が遊技領域５２に設けられ、点滅等することで演出の役割を果たす。
【００２７】
作動口６８を遊技球が通過すると、所定時間、普通図柄２０４と呼ばれる図柄が変動表示される。普通図柄２０４は装飾図柄表示装置６０の右下隅にて変動表示される。所定時間の経過後に普通図柄２０４の変動表示が停止すると、通常、５０％から８０％程度の確率で始動口６２が所定時間拡開する。変動短縮遊技の実行中においては、普通図柄２０４の変動表示時間が短縮されるとともに、始動口６２が開放状態となる時間が相対的に長く設定される。
【００２８】
図２は、ぱちんこ遊技機の背面側における基本的な構造を示す。電源スイッチ４０はぱちんこ遊技機１０の電源をオンオフするスイッチである。メイン基板４１は、ぱちんこ遊技機１０の全体動作を制御し、特に始動口６２へ入賞したときの抽選等、遊技動作全般を処理する。サブ基板４９は、液晶ユニット４２を備え、装飾図柄表示装置６０および解除抽選表示装置１７６における表示内容を制御し、特にメイン基板４１による抽選結果に応じて表示内容を変動させる。メイン基板４１およびサブ基板４９は、遊技制御装置１００を構成する。セット基盤３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００２９】
図３は、保留装置の構造および配置を模式的に示す。図示するように、保留装置８６は遊技領域５２における誘導装置７９および一般入賞口７２の上方に設けられ、複数の遊技球９６を解除されるまで一時的に停留させることができ、停留状態が解除された場合は停留させていた遊技球９６を誘導装置７９または一般入賞口７２の方向へ解放する。誘導装置７９は、一定の周期で左右方向に揺動し、流れてきた遊技球をその揺動によって左右いずれかの方向へ振り分ける形で誘導する。誘導装置７９の左下方に第１一般入賞口７０が設けられ、誘導装置７９の右下方に第２一般入賞口７１が設けられるので、誘導装置７９に落下した遊技球９６は第１一般入賞口７０および第２一般入賞口７１のいずれかの方向へ振り分けられる。保留装置８６の上方には、遊技球９６が第１保留装置８２または第２保留装置８４の開口部へ誘導されるような配置で複数の遊技釘９２と風車９４が設けられている。保留装置８６の下方には、保留装置８６と一般入賞口７２の間に、保留装置８６から解放され誘導装置７９によって左右に振り分けられた遊技球９６が第１一般入賞口７０または第２一般入賞口７１へ誘導されるような配置で複数の遊技釘９２が設けられ、保留装置８６から解放された遊技球はほぼ確実に第１一般入賞口７０または第２一般入賞口７１へ入球する。一方、保留装置８６に停留された遊技球以外は、遊技釘９２に阻まれて第１一般入賞口７０および第２一般入賞口７１へほぼ入球しない構造となっている。
【００３０】
通常状態においては保留弁９８が閉鎖されており、第１保留装置８２および第２保留装置８４にそれぞれ５球を上限として遊技球が入球し、入球した遊技球がその中で一時的に停留する。第１保留装置８２および第２保留装置８４にそれぞれ５球ずつ停留した状態では、それ以上の遊技球が入球しようとしても入球できずに保留装置８６の外部へ弾かれる。本実施例においては、解除抽選の結果、解除抽選表示装置１７６に当たりを示す解除図柄１７７が表示されたときに入力ボタン８８の押下が有効化される。その有効化がなされている間に遊技者が入力ボタン８８を押下すると保留装置８６の停留状態が解除される。入力ボタン８８の押下が有効化されたとき、装飾図柄表示装置６０には入力ボタン８８の押下が有効化されたことを示すメッセージとして「ボタンＰＵＳＨ！」の文字が表示される。遊技者が入力ボタン８８を押下すると、保留弁９８が開放されて第１保留装置８２および第２保留装置８４からそれぞれ５球ずつ、合計で１０球の遊技球が誘導装置７９および一般入賞口７２の方向へ解放される。１０球の遊技球がすべて解放されるのに十分な期間が経過した後に、再び保留弁９８は閉鎖される。入力ボタン８８の押下の有効化は、停留状態の解除が所定の上限回数、たとえば３回実行されるまで継続される。これにより、解除抽選が当たりとなった場合、遊技者は所定回数を限度に任意のタイミングで保留装置８６から複数の遊技球を一般入賞口７２へ入賞させることができる。
【００３１】
第１一般入賞口７０の賞球数は５球であり、第２一般入賞口７１の賞球数は１５球であるため、第１一般入賞口７０および第２一般入賞口７１のそれぞれの入賞数に応じて全体の賞球数が決まる。最も賞球数が少ない場合として仮に保留装置８６に停留した１０球のうちすべてが第１一般入賞口７０に入球したならば全体で５０球の賞球となり、最も賞球数が多い場合として仮に１０球のうちすべてが第２一般入賞口７１に入球したならば全体で１５０球の賞球となる。このように、遊技者は特別遊技以外の遊技によって比較的多くの賞球を獲得することができる。従来、このような比較的多くの賞球が得られる遊技は大入賞口６６を用いた遊技以外には実現されておらず、本実施例のような斬新な手法で賞球獲得の機会を付与することによって遊技性を向上させることができる。また、いずれの入賞口へ入賞するかによって、すなわちどのようなタイミングで保留弁９８を開放させるかによって獲得できる賞球に差が生じるため、賞球獲得に関して遊技者による技術介入性を高めて遊技性をさらに向上させることができる。また、大当たりが発生するまでに長い時間がかかってしまうような場合であっても、遊技者は一時的に持ち玉の減少を抑えながら遊技を進行させることができる。
【００３２】
図４は、本実施例におけるぱちんこ遊技機１０の機能ブロックを示す。ぱちんこ遊技機１０において、遊技制御装置１００は、始動口６２、大入賞口６６、特別図柄表示装置６１、装飾図柄表示装置６０、解除抽選表示装置１７６、スピーカ１８、遊技効果ランプ９０、第１一般入賞口７０、第２一般入賞口７１、保留装置８６、入力ボタン８８のそれぞれと電気的に接続されており、各種制御信号の送受信を可能とする。遊技制御装置１００は、遊技の基本動作だけでなく、図柄の変動表示や電飾等の演出的動作も制御する。遊技制御装置１００は、遊技の基本動作を含むぱちんこ遊技機１０の全体動作を制御するメイン基板４１と、図柄の演出等を制御するサブ基板４９とに機能を分担させた形態で構成されてもよい。入力ボタン８８は、保留装置８６の停留状態の解除を指示するための遊技者の操作を受け付ける操作入力手段である。
【００３３】
遊技制御装置１００は、ハードウエア的にはデータやプログラムを格納するＲＯＭやＲＡＭ、演算処理に用いるＣＰＵ等の素子を含んで構成される。本実施例の遊技制御装置１００は、各入賞口への入球を判定する入球判定手段１１０、所定の当否確率にて当たりか否かの当否抽選を実行する当否抽選手段１１２、当否抽選の結果を示す図柄変動の表示パターンを保持するパターン記憶手段１２５、図柄変動の停止図柄および変動表示の表示パターンを決定する図柄決定手段１３０、図柄や電飾等の表示を制御する表示制御手段１６０、保留装置８６による遊技球の停留を制御する保留制御手段１７０、その停留状態を解除するか否かを解除抽選の結果にしたがって判定する解除判定手段１７２、解除抽選を実行する解除抽選手段１７４、大当たり中の特別遊技を制御する特別遊技制御手段１８０、確率変動状態における遊技を実行する特定遊技実行手段１９０、始動口６２などの普通電動役物の開閉を制御する普通電動役物開閉制御手段１９２、および大入賞口６６の開閉を制御する大入賞口開閉制御手段１９４を備える。
【００３４】
始動入賞検出装置７４は始動口６２に設けられたセンサであり、始動口６２への遊技球の落入を検出し、落入を示す始動入賞情報を生成する。第１一般入賞検出装置６９および第２一般入賞検出装置７３はそれぞれ第１一般入賞口７０または第２一般入賞口７１に設けられたセンサであり、それぞれ第１一般入賞口７０または第２一般入賞口７１への遊技球の落入を検出し、落入を示す第１一般入賞情報または第２一般入賞情報をそれぞれ生成する。入球判定手段１１０は、始動入賞情報を受け取ると遊技球が始動口６２に入賞したと判断し、第１一般入賞情報または第２一般入賞情報を受け取ると遊技球が第１一般入賞口７０または第２一般入賞口７１に入賞したと判断する。保留装置８６は、保留弁ソレノイド９９を含む。保留弁ソレノイド９９は、保留制御手段１７０に制御されて保留装置８６の保留弁９８を開閉する。
【００３５】
当否抽選手段１１２は、抽選値取得手段１１３、テーブル格納手段１１４、当たり判定手段１２０を含む。抽選値取得手段１１３は、始動入賞検出装置７４から始動入賞情報を取得したときに乱数の値を当否抽選値として取得する。ここでいう乱数は、数学的に発生させる乱数でなくてもよく、ハードウエア乱数やソフトウエア乱数などにより発生させる疑似乱数でもよい。テーブル格納手段１１４は、当否判定で参照されるテーブルを保持する。このテーブルには、当たりまたは外れなどの判定結果と当否抽選値とが対応付けられており、対応付けられた当たりの範囲設定に応じて当否確率が定まる。通常時には通常確率による当否判定のためのテーブルが使用され、確率変動時には通常確率より当たりの確率が高くなるテーブルが使用される。当たり判定手段１２０は、テーブル格納手段１１４に保持されたテーブルを参照し、当否抽選値が当たりか否かを判定する。当否抽選値が当たりであった場合、当たり判定手段１２０はテーブル格納手段１１４に保持されたテーブルに基づいて当否抽選値が確率変動付きの当たりか否かを判定する。
【００３６】
パターン記憶手段１２５は、特別図柄や装飾図柄を変動表示させるときの変動開始から停止までの変動態様が定められた表示パターンとして複数種のパターンを保持する。表示パターンには、通常の外れ図柄を表示するときのパターンと、あと一つ図柄が揃えば大当たりとなるリーチ状態を経て外れ図柄を表示するときのパターンと、リーチ状態を経て大当たり図柄を表示するときのパターンが含まれる。リーチ状態を経るときのパターンとしては、長短様々な表示時間をもつパターンが含まれる。各表示パターンには、その図柄変動の終了条件としてパターンごとに表示時間が定められており、その表示時間の経過時に図柄変動が停止される。
【００３７】
図柄決定手段１３０は、特別図柄表示装置６１および装飾図柄表示装置６０に表示させる図柄の内容とその表示パターンを当否抽選手段１１２によって抽選がなされるたびに決定する。図柄決定手段１３０は、装飾図柄を決定する装飾図柄決定手段１３２と、特別図柄を決定する特別図柄決定手段１４０と、普通図柄を決定する普通図柄決定手段１４８を含む。
【００３８】
特別図柄決定手段１４０は、当否抽選手段１１２による抽選の結果に応じてパターン記憶手段１２５からいずれかのパターンを選択するパターン選択手段１４４と、当否抽選手段１１２による抽選の結果に応じた特別図柄の停止図柄を決定する図柄選択手段１４６とを含む。停止図柄は、図柄変動の終了時に表示すべき図柄であり、図柄決定用の乱数に基づいて決定される。当否抽選値が当たりであった場合、確率変動付きの当たりであるか否かが当否抽選値または図柄決定用の乱数に応じて決定される。
【００３９】
装飾図柄決定手段１３２は、特別図柄決定手段１４０による決定に応じてパターン記憶手段１２５からいずれかのパターンを選択するパターン選択手段１３６と、当否抽選手段１１２による当否抽選の結果に応じた装飾図柄の停止図柄を決定する図柄選択手段１３８とを含む。図柄選択手段１３８は、特別図柄が当たり図柄であった場合、確率変動付きの当たりとなる図柄か否かに応じて装飾図柄を決定する。
【００４０】
普通図柄決定手段１４８は、入球判定手段１１０が作動口６８への遊技球の通過を判定した場合に、普通図柄を決定するための抽選乱数を取得し、その抽選乱数に応じて普通図柄を決定する。普通図柄決定手段１４８が特定の図柄であった場合、普通電動役物開閉制御手段１９２が始動口６２を所定時間拡開する。
【００４１】
表示制御手段１６０は、当否抽選手段１１２による当否抽選の結果を、図柄決定手段１３０により選択された表示パターンにしたがって図柄変動の形で特別図柄表示装置６１および装飾図柄表示装置６０に表示させる。本実施例における表示制御手段１６０は、特別図柄表示装置６１に特別図柄を表示させ、装飾図柄表示装置６０に装飾図柄、普通図柄を表示させる。表示制御手段１６０は、遊技効果ランプ９０の点灯と消灯をさらに制御する。
【００４２】
解除抽選手段１７４は、始動口６２への入球があったときに、当否抽選手段１１２による当否抽選とは別の抽選として解除抽選を実行する。すなわち、解除抽選手段１７４は当否抽選値とは別の抽選値を取得する。解除判定手段１７２は、解除抽選の抽選値にしたがって停留状態を解除するか否かを判定するとともに、解除図柄を変動停止させるときに表示すべき停止図柄を解除抽選の判定結果に応じて決定する。表示制御手段１６０は、解除抽選の判定結果を、解除図柄を変動させる形で解除抽選表示装置１７６に表示させる。解除判定手段１７２は、解除抽選の抽選値が当たりであった場合、保留装置８６による停留状態を解除すべき旨の判定をする。
【００４３】
保留制御手段１７０は、遊技者から停留解除を指示するための入力ボタン８８の操作入力があったとき、解除指示が入力されたことを示す指示信号を入力ボタン８８から受け取る。保留制御手段１７０は、解除判定手段１７２によって停留状態を解除すべき旨の判定がなされた場合に、入力ボタン８８による解除指示の可能回数を所定回数、たとえば３回に設定することにより、入力ボタン８８による解除指示を有効化する。このとき、保留制御手段１７０は入力ボタン８８の押下が有効化されたことを示すメッセージを、表示制御手段１６０による制御を介して装飾図柄表示装置６０に表示させる。入力ボタン８８による解除指示が有効化されている間、保留制御手段１７０は、入力ボタン８８から受け取る指示信号を有効な信号と判断する。保留制御手段１７０は、解除指示の取得が有効化されている間に入力ボタン８８の押下があった場合、保留弁ソレノイド９９を制御して保留装置８６の保留弁９８を開放させ、遊技球の停留状態を解除し、解除指示の可能回数から１を減算する。停留状態を解除すべき旨の判定が解除判定手段１７２によりなされていない間は、保留制御手段１７０は解除指示の取得を無効とする。保留制御手段１７０は、解除指示の取得を有効化した後、解除指示の可能回数が０になったとき、すなわち停留状態の解除が３回に達したとき、ふたたび解除指示の取得を無効化する。
【００４４】
特別遊技制御手段１８０は、当たり判定手段１２０による判定結果が当たりであった場合に、特別遊技の実行処理を制御する。特別遊技移行判定手段１８２は、当たりであった抽選結果に対応する図柄変動が停止されたか否かに応じて特別遊技開始のタイミングを判定する。特別遊技は、大入賞口６６の開閉動作を複数回数連続して継続する遊技であり、１回の開閉を単位とした複数回の単位遊技で構成される。単位遊技は例えば１５回を上限として繰り返され、１回の単位遊技において大入賞口６６を約３０秒間開放させる。単位遊技実行手段１８４は、大入賞口開閉制御手段１９４を制御して、大入賞口６６を開閉させることにより単位遊技を実行する。大入賞口開閉制御手段１９４は、単位遊技中、大入賞口ソレノイド８０に開放指示を送り、大入賞口６６を開放させる。特別遊技終了手段１８６は、単位遊技の継続回数、大入賞口６６の特定領域への通過検出の有無に基づいて、単位遊技を継続させるか否か、すなわち次回の単位遊技を開始するか否かを判定する。次回の単位遊技を開始するための継続条件が満足されない場合、または単位遊技の上限回数を消化した場合には、特別遊技終了手段１８６が特別遊技を終了させる。
【００４５】
普通電動役物開閉制御手段１９２は、普通図柄が特定の図柄で停止されると、普通電動役物ソレノイド７６に開放指示を送り、始動口６２を開放させる。これにより、始動口６２は、遊技者にとって有利な状態に変化する。
【００４６】
当たり判定手段１２０による判定結果が確率変動付きの当たりであった場合であって、図柄決定手段１３０により決定された当たりの停止図柄が確率変動付き大当たりを示す特定の図柄であった場合、特定遊技実行手段１９０は、遊技状態を確率変動状態へ移行させる。確率変動状態は原則として次の大当たりが発生するまで続行され、その間は当たり判定手段１２０による当たり判定の確率が高い値のまま維持される。
【００４７】
図５は、入力ボタンの押下が有効化された旨を示すメッセージ表示の例を示す。解除抽選手段１７４による解除抽選の結果、停留状態を解除すべき旨の判定が解除判定手段１７２によってなされた場合に、保留制御手段１７０は表示制御手段１６０による制御を介して装飾図柄表示装置６０の画面にメッセージ２１０を表示させる。メッセージ２１０には、「ボタンＰＵＳＨ！」の文字列が含まれており、遊技者に対して入力ボタン８８の操作入力を促す意図、または、入力ボタン８８の操作入力の機会付与を示す意図を含む。遊技者は、メッセージ２１０が表示された後に入力ボタン８８を押下すると、それまで閉鎖されていた保留装置８６の保留弁９８が開放され、停留していた遊技球が誘導装置７９に振り分けられて第１一般入賞口７０または第２一般入賞口７１へ入賞し、その入賞数に応じた賞球を獲得することができる。
【００４８】
図６は、通常遊技および特別遊技の基本的な動作過程を示すフローチャートである。まず、通常遊技状態であれば当否判定などの通常遊技の制御処理を実行し（Ｓ１０）、特別遊技状態であれば特別遊技の制御処理を実行し（Ｓ１２）、Ｓ１０またはＳ１２における入賞に応じた賞球払出を処理する（Ｓ１４）。
【００４９】
図７は、図６におけるＳ１０を詳細に示すフローチャートである。Ｓ１０の通常遊技制御処理においては、まず始動口６２への入賞に応じて当否判定処理が実行される（Ｓ２０）。次いで、当否判定および解除抽選の結果に応じた図柄変動を表示させ（Ｓ２２）、当否判定の結果が当たりであった場合は図柄変動表示が終了したか否かに基づいて特別遊技への移行タイミングを判定するとともに（Ｓ２４）、保留装置８６による停留状態の制御を処理する（Ｓ２６）。
【００５０】
図８は、図７におけるＳ２０を詳細に示すフローチャートである。まず、始動口６２に遊技球が入球したとき（Ｓ３０のＹ）、抽選値の保留数が上限に達していなければ（Ｓ３０のＹ）、抽選値取得手段１１３は当否抽選値を取得し（Ｓ３４）、解除抽選手段１７４は解除抽選の抽選値を取得する（Ｓ３６）。Ｓ３０において始動口６２に遊技球が入球していない場合はＳ３２からＳ３６の処理をスキップし（Ｓ３０のＮ）、Ｓ３２において抽選値の保留数が上限に達していた場合はＳ３４とＳ３６の処理をスキップする（Ｓ３２のＮ）。
【００５１】
特別遊技が実行中か否かを示す特別遊技フラグがオフになっている場合であって（Ｓ３８のＹ）、抽選値の保留がある場合（Ｓ４０のＹ）、当たり判定手段１２０は当否抽選値が当たりか否かを判定し（Ｓ４２）、解除判定手段１７２は解除抽選の抽選値が当たりか否かを判定し（Ｓ４４）、図柄決定手段１３０および解除判定手段１７２は特別図柄２０２、装飾図柄２００、および解除図柄１７７を決定し（Ｓ４６）、図柄変動の表示パターンを決定する（Ｓ４８）。Ｓ３８において特別遊技フラグがオンになっていた場合はＳ４０からＳ４８までの処理をスキップし（Ｓ３８のＮ）、Ｓ４０において抽選値の保留がなかった場合はＳ４２からＳ４８までの処理をスキップする（Ｓ４０のＮ）。
【００５２】
図９は、図７におけるＳ２２を詳細に示すフローチャートである。まず、抽選値の保留があった場合であって（Ｓ５０のＹ）、図柄変動表示が許可されるタイミングであった場合（Ｓ５２のＹ）、表示制御手段１６０は特別図柄２０２および装飾図柄２００の図柄変動表示を開始させるとともに（Ｓ５４）、解除図柄１７７の図柄変動表示を開始する（Ｓ５６）。Ｓ５０において抽選値の保留がなかった場合はＳ５２からＳ５６の処理をスキップする（Ｓ５０のＮ）。Ｓ５２において図柄変動表示が許可されないタイミングであった場合はＳ５４とＳ５６の処理をスキップする（Ｓ５２のＮ）。
【００５３】
図柄変動表示が所定の表示時間を経過した場合（Ｓ５８のＹ）、表示制御手段１６０は特別図柄２０２および装飾図柄２００の図柄変動を停止させるとともに（Ｓ６０）、解除図柄１７７の図柄変動を停止させる（Ｓ６２）。図柄変動表示が所定の表示時間を経過していない場合はＳ６０とＳ６２の処理をスキップする（Ｓ５８のＮ）。
【００５４】
図１０は、図７におけるＳ２６を詳細に示すフローチャートである。まず、解除抽選の抽選値が当たりであった場合（Ｓ７０のＹ）、保留装置８６による停留状態を解除できる回数として「３回」の値を設定し（Ｓ７２）、入力ボタン８８による操作入力が有効化されたことを示すメッセージ２１０を表示させる（Ｓ７４）。Ｓ７０において解除抽選の抽選値が外れであった場合はＳ７２とＳ７４の処理をスキップする（Ｓ７０のＮ）。
【００５５】
遊技者による入力ボタン８８の操作入力があった場合であって（Ｓ７６のＹ）、停留状態を解除できる回数が１回以上残っている場合（Ｓ７８のＹ）、保留制御手段１７０は入力ボタン８８による操作入力が有効であると判定して保留弁ソレノイド９９を制御して保留弁９８を開放させ（Ｓ８０）、停留状態の解除可能回数から１を減算する（Ｓ８２）。Ｓ７６において入力ボタン８８による操作入力がなかった場合はＳ７８以降の処理をすべてスキップしてＳ２６のフローを終了する（Ｓ７６のＮ）。Ｓ７８において停留状態の解除可能回数が０であった場合、保留制御手段１７０は入力ボタン８８の操作入力が無効であると判定してＳ８０以降の処理をスキップし、Ｓ２６のフローを終了する（Ｓ７８のＮ）。
【００５６】
以上のように、実施例１におけるぱちんこ遊技機１０には、合計で１０球まで遊技球を停留させることができる保留装置８６が遊技領域５２に設けられている。解除抽選で当たりとなった場合に入力ボタン８８の操作入力が有効化され、その間に遊技者が入力ボタン８８を押下すると、保留装置８６から遊技球が解放され、誘導装置７９に振り分けられて第１一般入賞口７０または第２一般入賞口７１へ入賞する。このように、特別遊技以外にも比較的多くの賞球を獲得できる機会を従来にない遊技手法を介して遊技者へ付与することができる。また、そうした機会付与に関するメッセージを表示するという新たな演出を施すことができるとともに、遊技者が遊技の進行に関与する機会が増加するので、遊技性をさらに向上させることができる。
【００５７】
（実施例２）
本実施例においては、機械的な構成である抽選機構による解除抽選で当たりとなった場合に遊技者による入力ボタンの操作入力を有効化する。この点、電子的な手段により解除抽選を実行する実施例１と異なる。以下、相違点を中心に説明し、共通点の説明を省略する。
【００５８】
図１１は、実施例２におけるぱちんこ遊技機の前面側における基本的な構造を示す。本実施例におけるぱちんこ遊技機１０は、遊技領域５２に抽選機構１７８が設けられている点で実施例１と異なる。抽選機構１７８は、上方向に断面を有する略半球状の形状をもち、その上面は皿状に窪んでおり、その皿状上面に複数の孔部が設けられている。本実施例における抽選機構１７８は、その皿状上面に３つの孔部が設けられた、いわゆる３穴クルーンとも呼ばれる機構である。３つの孔部のそれぞれに遊技球が入球可能であり、本実施例の解除抽選では、いずれの孔部に入球したかに応じて解除に関する当否が判定される。
【００５９】
図１２は、抽選機構の外観および構造の概略を示す。本図は、抽選機構１７８を手前側の上方から見た外観を実線で示し、その方向からは本来見えない一部の構造を隠れ線で示す。抽選機構１７８はその上部に皿状の窪み形状を有し、その皿状面に３つの孔部として第１入球口２２０、第２入球口２２２、および第３入球口２２４が設けられている。第１入球口２２０、第２入球口２２２、および第３入球口２２４のうち、第１入球口２２０へ遊技球が入球したときは当たりと判定され、第２入球口２２２および第３入球口２２４に入球したときは外れと判定される。第１入球口２２０へ入球したか否かは入球検出装置２２６により検出される。
【００６０】
図１３は、実施例２におけるぱちんこ遊技機１０の機能ブロックを示す。主に、抽選機構１７８および回数抽選手段１７９が設けられている点と、解除判定手段１７２における処理内容の点で、図４に示される実施例１のぱちんこ遊技機１０と異なる。本実施例における解除判定手段１７２は、抽選機構１７８による解除抽選の結果に応じて保留装置８６による遊技球の停留状態を解除するか否かを判定する。抽選機構１７８の第１入球口２２０に遊技球が入球して解除判定手段１７２が保留装置８６による停留状態を解除すべきと判定したとき、回数抽選手段１７９は保留制御手段１７０によってなされる解除の回数を決定する。回数抽選手段１７９は、解除回数としてたとえば１回〜３回のうちいずれかの回数に決定する。保留制御手段１７０は、回数抽選手段１７９により決定された解除の回数を上限として保留装置８６による停留状態を解除する。
【００６１】
図１４は、実施例２における通常遊技および特別遊技の基本的な動作過程を示すフローチャートである。通常遊技状態であれば当否判定などの通常遊技の制御処理を実行し（Ｓ９０）、特別遊技状態であれば特別遊技の制御処理を実行し（Ｓ９２）、通常遊技状態であるか特別遊技状態であるかを問わず保留装置８６による停留状態を制御し（Ｓ９４）、Ｓ９０〜Ｓ９４における入賞に応じた賞球払出を処理する（Ｓ９６）。
【００６２】
図１５は、図１４におけるＳ９４を詳細に示すフローチャートである。まず、抽選機構１７８の第１入球口２２０に遊技球が入球した場合（Ｓ１００のＹ）、保留装置８６による停留状態を解除できる回数を１回〜３回のうちいずれかに決定し（Ｓ１０２）、決定した回数の値を解除可能回数に設定し（Ｓ１０４）、入力ボタン８８による操作入力が有効化されたことを示すメッセージ２１０を表示させる（Ｓ１０６）。Ｓ１００において第１入球口２２０に遊技球が入球しないか第２入球口２２２または第３入球口２２４に遊技球が入球した場合はＳ１０２からＳ１０６までの処理をスキップする（Ｓ１００のＮ）。
【００６３】
遊技者による入力ボタン８８の操作入力があった場合であって（Ｓ１０８のＹ）、停留状態を解除できる回数が１回以上残っている場合（Ｓ１１０のＹ）、保留制御手段１７０は入力ボタン８８による操作入力が有効であると判定して保留弁ソレノイド９９を制御して保留弁９８を開放させ（Ｓ１１２）、停留状態の解除可能回数から１を減算する（Ｓ１１４）。Ｓ１０８において入力ボタン８８による操作入力がなかった場合はＳ１１０以降の処理をすべてスキップしてＳ９４のフローを終了する（Ｓ１０８のＮ）。Ｓ１１０において停留状態の解除可能回数が０であった場合、保留制御手段１７０は入力ボタン８８の操作入力が無効であると判定してＳ１１２以降の処理をスキップし、Ｓ９４のフローを終了する（Ｓ１１０のＮ）。
【００６４】
以上のように、実施例２においても実施例１におけるぱちんこ遊技機１０と同様に、合計で１０球まで遊技球を停留させることができる保留装置８６が遊技領域５２に設けられている。抽選機構１７８による解除抽選で当たりとなった場合に入力ボタン８８の操作入力が有効化され、その間に遊技者が入力ボタン８８を押下すると、保留装置８６から遊技球が解放され、誘導装置７９に振り分けられて第１一般入賞口７０または第２一般入賞口７１へ入賞する。このように、特別遊技以外にも比較的多くの賞球を獲得できる機会を従来にない遊技手法を介して遊技者へ付与することができる。また、そうした機会付与に関するメッセージを表示するという新たな演出を施すことができるとともに、遊技者が遊技の進行に関与する機会が増加するので、遊技性をさらに向上させることができる。
【００６５】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。以下、変形例を挙げる。
【００６６】
各実施例においては、第１保留装置８２および第２保留装置８４のそれぞれが５球ずつ遊技球を停留させることができる構成を説明した。変形例においては、５球ずつに限らず任意の球数の遊技球を停留させることができる保留装置を採用してもよい。また、各実施例においては、二つの保留装置を設けた構成を説明したが、変形例においては三つ以上の保留装置を設けた構成を採用してもよい。
【００６７】
各実施例においては、解除判定手段１７２によって解除すべき旨の判定がなされた後で遊技者による入力ボタン８８の操作入力があったときに保留装置８６による停留状態が解除される構成を説明した。変形例においては、入力ボタン８８が設けられていない構成とし、解除判定手段１７２によって解除すべき旨の判定がなされた場合はそのまま保留装置８６による停留状態が解除される構成であってもよい。この場合、保留制御手段１７０は、解除図柄１７７の変動が当たり図柄にて停止されたとき、または、抽選機構１７８の第１入球口２２０に遊技球が入球したときに、保留装置８６による停留状態を解除する。
【００６８】
また、実施例１においては、始動口６２に遊技球が入球したときに解除抽選を実行する構成を説明した。変形例においては、始動口６２への遊技球の入球タイミング以外のタイミングで解除抽選を実行する構成であってもよい。たとえば、一般入賞口など他の入賞口への遊技球の入球タイミングで解除抽選を実行する構成であってもよいし、ランダムなタイミングで解除抽選を実行する構成であってもよい。
【００６９】
さらに、実施例１においては、解除抽選の結果を解除図柄１７７の変動表示という形で解除抽選表示装置１７６に表示させる構成を説明した。変形例においては、解除抽選表示装置１７６を設けず、解除図柄１７７を装飾図柄表示装置６０に変動表示させる構成であってもよいし、解除図柄１７７をどこにも表示させない構成であってもよい。
【図面の簡単な説明】
【００７０】
【図１】ぱちんこ遊技機の前面側における基本的な構造を示す図である。
【図２】ぱちんこ遊技機の背面側における基本的な構造を示す図である。
【図３】保留装置の構造および配置を模式的に示す図である。
【図４】実施例１におけるぱちんこ遊技機の機能ブロックを示す図である。
【図５】入力ボタンの押下が有効化された旨を示すメッセージ表示の例を示す図である。
【図６】通常遊技および特別遊技の基本的な動作過程を示すフローチャートである。
【図７】図６におけるＳ１０を詳細に示すフローチャートである。
【図８】図７におけるＳ２０を詳細に示すフローチャートである。
【図９】図７におけるＳ２２を詳細に示すフローチャートである。
【図１０】図７におけるＳ２６を詳細に示すフローチャートである。
【図１１】実施例２におけるぱちんこ遊技機の前面側における基本的な構造を示す図である。
【図１２】抽選機構の外観および構造の概略を示す図である。
【図１３】実施例２におけるぱちんこ遊技機１０の機能ブロックを示す図である。
【図１４】実施例２における通常遊技および特別遊技の基本的な動作過程を示すフローチャートである。
【図１５】図１４におけるＳ９４を詳細に示すフローチャートである。
【符号の説明】
【００７１】
５０  遊技盤、  ５２  遊技領域、  ７０  第１一般入賞口、  ７１  第２一般入賞口、  ７９  誘導装置、  ８６  保留装置、  ９６  遊技球、  １１２  当否抽選手段、  １６０  表示制御手段、  １７０  保留制御手段、  １７２  解除判定手段、  １７４  解除抽選手段、  １７６  解除抽選表示装置、  １７７  解除図柄、  １７８  抽選機構、  １７９  回数抽選手段。
【図１】
2006180950.tif 000003
【図２】
2006180950.tif 000004
【図３】
2006180950.tif 000005
【図４】
2006180950.tif 000006
【図５】
2006180950.tif 000007
【図６】
2006180950.tif 000008
【図７】
2006180950.tif 000009
【図８】
2006180950.tif 000010
【図９】
2006180950.tif 000011
【図１０】
2006180950.tif 000012
【図１１】
2006180950.tif 000013
【図１２】
2006180950.tif 000014
【図１３】
2006180950.tif 000015
【図１４】
2006180950.tif 000016
【図１５】
2006180950.tif 000017